(57)【要約】【課題】タービンエンジンで使用するバケット組立体を提供する。【解決手段】バケット組立体は、複数の第１のバケットと、移行バケットのペアとを含む。各第１のバケットは、第１の構成を各々有する横方向縁部のペアを含むバケットカバーを備える。各移行バケットは、第１の構成を有する第１の横方向縁部と、第２の構成を有する第２の横方向縁部とを含む移行カバーを備える。【選択図】      図１
2014092161.tif 000002
【特許請求の範囲】
【請求項１】
バケット組立体を組み立てる方法であって、
第１の構成で各々形成された横方向縁部のペアを有するバケットカバーを各々が含む第１のバケット及び第２のバケットをロータディスクに結合するステップと、
前記第１の構成で形成された第１の横方向縁部と前記第２の構成で形成された第２の横方向縁部とを有する第１の移行カバーを含む第１の移行バケットを前記ロータディスク及び前記第１のバケットに結合するステップと、
前記第１の構成で形成された第１の横方向縁部と前記第２の構成で形成された第２の横方向縁部とを有する第２の移行カバーを含む第２の移行バケットを前記ロータディスク及び前記第２のバケットに結合するステップと
を含む、方法。
【請求項２】
前記第１の移行バケットと前記第２の移行バケットとの間で閉鎖バケットを前記ロータディスクに結合するステップを更に含み、前記閉鎖バケットが、前記第２の構成で各々形成された横方向縁部のペアを有する閉鎖カバーを含む、請求項１記載の方法。
【請求項３】
前記閉鎖バケットを結合するステップが更に、前記第２の構成が実質的に直線状構成であるように各閉鎖カバーの横方向縁部を実質的に直線状に設けるステップを含む、請求項２記載の方法。
【請求項４】
前記第１のバケット、前記第２のバケット、前記閉鎖バケット、前記第１の移行バケット、及び前記第２の移行バケットをそれぞれのカバーから半径方向内向きに延びる本体を含み、該本体が互いに実質的に同様であるように設けるステップを更に含む、請求項２記載の方法。
【請求項５】
前記第１のバケット、前記第２のバケット、前記閉鎖バケット、前記第１の移行バケット、及び前記第２の移行バケットをそれぞれのカバーから半径方向内向きに延びる翼形部とそれぞれの翼形部から半径方向内向きに延びるダブテールとを含み、前記翼形部の高さが前記ダブテールの高さよりも低いように設けるステップを更に含む、請求項２記載の方法。
【請求項６】
前記第１のバケット及び前記第２のバケットを結合するステップが更に、第１のセグメントと、前記第１の構成が角度付き構成であるようにある角度で前記第１のセグメントから延びる第２のセグメントとを含むように前記各バケットカバーの横方向縁部を設けるステップを含む、請求項１記載の方法。
【請求項７】
前記第１の移行バケットを結合するステップが更に、前記第１の移行バケットの後縁よりも短い前縁を含むように前記第１の移行バケットを設けるステップを含み、前記第２の移行バケットを結合するステップが更に、前記第２の移行バケットの後縁よりも短い前縁を含むように前記第２の移行バケットを設けるステップを含む、請求項１記載の方法。
【請求項８】
タービンエンジンと共に使用するバケット組立体であって、
第１の構成で各々形成された横方向縁部のペアを有するバケットカバーを各々が含む複数の第１のバケットと、
前記第１の構成で形成された第１の横方向縁部と前記第２の構成で形成された第２の横方向縁部とを有する移行カバーを各々が含む移行バケットのペアと
を備える、バケット組立体。
【請求項９】
前記第２の構成で各々形成された横方向縁部のペアを有する閉鎖カバーを含む閉鎖バケットを更に備える、請求項８記載のバケット組立体。
【請求項１０】
前記各閉鎖カバーの横方向縁部が、前記第２の構成が実質的に直線状構成であるように実質的に直線状である、請求項９記載のバケット組立体。
【請求項１１】
前記各第１のバケット、前記閉鎖バケット、及び前記各移行バケットが、それぞれのカバーから半径方向内向きに延びる本体を含み、該本体が互いに実質的に同様である、請求項９記載のバケット組立体。
【請求項１２】
前記各バケットカバーの横方向縁部が、第１のセグメントと、前記第１の構成が角度付き構成であるようにある角度で前記第１のセグメントから延びる第２のセグメントとを含む、請求項８記載のバケット組立体。
【請求項１３】
第１の移行バケットが、その後縁よりも短い前縁を有し、第２の移行バケットが、その後縁よりも短い前縁を有する、請求項８記載のバケット組立体。
【請求項１４】
タービンエンジンであって、
ロータディスクと、
前記ロータディスクに結合され、複数の第１のバケットと移行バケットのペアとを含むバケット組立体であって、前記第１のバケットが、第１の構成で各々形成された横方向縁部のペアを有するバケットカバーを含み、前記移行バケットのペアの各移行バケットが、前記第１の構成で形成された第１の横方向縁部と、第２の構成で形成された第２の横方向縁部とを有する移行カバーを含む、バケット組立体と
を備えるタービンエンジン。
【請求項１５】
前記バケット組立体が更に、前記第２の構成で各々形成された横方向縁部のペアを有する閉鎖カバーを含む閉鎖バケットを備える、請求項１４記載のタービンエンジン。
【請求項１６】
前記各閉鎖カバーの横方向縁部が、前記第２の構成が実質的に直線状構成であるように実質的に直線状である、請求項１５記載のバケット組立体。
【請求項１７】
前記各移行バケットが、それぞれのカバーから半径方向内向きに延びる本体を含み、該本体が互いに実質的に同様である、請求項１５記載のバケット組立体。
【請求項１８】
前記各第１のバケット、前記閉鎖バケット、及び前記各移行バケットが、それぞれのカバーから半径方向内向きに延びる翼形部とそれぞれの翼形部から半径方向内向きに延びるダブテールとを含み、前記翼形部の高さが前記ダブテールの高さよりも低い、請求項１５記載のバケット組立体。
【請求項１９】
前記各バケットカバーの横方向縁部が、第１のセグメントと、前記第１の構成が角度付き構成であるようにある角度で前記第１のセグメントから延びる第２のセグメントとを含む、請求項１４記載のバケット組立体。
【請求項２０】
第１の移行バケットが、その後縁よりも短い前縁を有し、第２の移行バケットが、その後縁よりも短い前縁を有する、請求項１４記載のバケット組立体。
【発明の詳細な説明】
【技術分野】
【０００１】
本開示は、全体的に、タービンエンジンに関し、より詳細には、タービンエンジンで使用するバケット組立体に関する。
【背景技術】
【０００２】
少なくとも一部の公知のタービンエンジンは、ロータディスクと、該ロータディスクに結合したバケット組立体とを有するロータ組立体を含む。一部の公知のバケット組立体は、カバーと、翼形部と、ダブテールとを有するバケットを含む。公知のダブテールは、バケットをロータディスクに結合することができるが、結合プロセスは、冗長で及び／又は多大な時間を要する場合がある。例えば、あるバケットのカバーは、組立中に円周方向に隣接するバケットのダブテール及び／又は翼形部と干渉する可能性がある。既に設置してあった円周方向に隣接するバケットに隣接してこのようなバケットを位置付けるために、カバーが隣接するバケットのダブテール及び／又は翼形部と干渉しないようにバケットの少なくとも一部を除去及び／又は切り取る場合がある。しかしながら、バケットの一部の除去及び／又は切り取りは、タービンエンジンの性能を低下させる恐れがある。
【先行技術文献】
【特許文献】
【０００３】
【特許文献１】米国特許第７２７０５１８号明細書
【発明の概要】
【０００４】
１つの態様において、バケット組立体を組み立てる際に使用する方法が提供される。本方法は、第１のバケット及び第２のバケットをロータディスクに結合するステップを含む。第１のバケット及び第２のバケットは各々、第１の構成で各々形成された横方向縁部のペアを有するバケットカバーを含む。第１の移行バケットは、ロータディスク及び第１のバケットに結合される。第１の移行バケットは、第１の構成で形成された第１の横方向縁部と第２の構成で形成された第２の横方向縁部とを有する第１の移行カバーを含む。第２の移行バケットは、第２のバケットに結合される。第２の移行バケットは、第１の構成で形成された第１の横方向縁部と第２の構成で形成された第２の横方向縁部とを有する第２の移行カバーを含む。
【０００５】
別の態様において、タービンエンジンと共に使用するバケット組立体が提供される。バケット組立体は、複数の第１のバケットと、移行バケットのペアとを含む。各第１のバケットは、第１の構成で各々形成された横方向縁部のペアを有するバケットカバーを含む。各移行バケットは、第１の構成で形成された第１の横方向縁部と第２の構成で形成された第２の横方向縁部とを有する移行カバーを含む。
【０００６】
更に別の態様において、タービンエンジンが提供される。タービンエンジンは、ロータディスクと、ロータディスクに結合されたバケット組立体と、を含む。バケット組立体は、複数のバケットと、移行バケットのペアとを含む。複数のバケットの各バケットは、第１の構成で各々形成された横方向縁部のペアを有するバケットカバーを含む。移行バケットのペアの各移行バケットは、第１の構成で形成された第１の横方向縁部と、第２の構成で形成された第２の横方向縁部とを有する移行カバーを含む。
【０００７】
本明細書で説明される特徴、機能、及び利点は、本開示に記載される種々の実施形態において独立して達成することができ、或いは、更に別の実施形態と組み合わせることができ、これらの詳細事項は、以下の説明及び図面を参照すると理解することができる。
【図面の簡単な説明】
【０００８】
【図１】例示的なタービンエンジンの概略図。
【図２】図１に示した区域２に沿ったタービンエンジンの一部の拡大概略図。
【図３】図１に示すタービンエンジンと共に使用される例示的なバケット組立体の斜視図。
【図４】図３に示すバケット組立体の上面図。
【発明を実施するための形態】
【０００９】
本発明の種々の実施形態の特定の特徴は一部の図面で示され、他の図面では示されない場合があるが、これは便宜上のことに過ぎない。ある図面の何れかの特徴は、他の図面の何れかの特徴と組み合わせて言及及び／又は請求項に記載することができる。一部の実施形態において、バケット組立体は、複数の一体形に覆われた（ＩＣ）バケットを含む。本明細書で使用される用語「一体形」とは、カバーを含むバケットを意味する。バケットは、カバーと一体的に形成（ベーン及びカバーが同じ棒状原材料部片から機械加工されるように、棒状原材料からの機械加工、又は鋳造によって）することができ、又は代替として、カバーは、翼形部に一体的に結合（例えば、溶接により）することができる。１つの実施形態において、複数のＩＣバケットは、複数の第１のバケットと、移行ダクトの少なくとも１つのペアとを含む。各第１のバケットは、第１の構成で各々が形成された横方向縁部のペアを有するバケットカバーを含む。各移行バケットは、第１の構成で形成された第１の横方向縁部と、第２の構成で形成された第２の横方向縁部とを有する移行カバーを含む。従って、バケット組立体は、バケットの何れかの部分の修正又は除去を必要とすることなく組み立てることができる。
【００１０】
本明細書で使用する場合に、前に数詞のない要素又はステップの表現は、そうではないことを明確に述べていない限り複数のそのような要素又はステップの存在を排除するものではないと理解されたい。更に、上記の説明における「１つの実施形態」への言及は、記載された特徴を同様に組み込んでいる追加の実施形態の存在を排除するものとして解釈することを意図するものではない。
【００１１】
図１は、例示的なタービンエンジン１０の概略図である。一部の実施形態において、タービンエンジン１０は、対向流高圧（ＨＰ）及び中圧（ＩＰ）蒸気タービン組立体である。他の実施形態において、タービンエンジン１０は、限定ではないが、低圧タービン、単流蒸気タービン、及び／又は複流蒸気タービンなど、あらゆるタイプの蒸気タービンとすることができる。
【００１２】
一部の実施形態において、タービンエンジン１０は、ロータ組立体１６を介して発電機１４に結合されたタービン１２を含む。一部の実施形態において、タービン１２は、ＨＰセクション１８及びＩＰセクション２０を含む。ＨＰケーシング２２は、軸方向で上側及び下側ハーフセクション２４、２６にそれぞれ分割される。同様に、ＩＰセクション２８は、軸方向で上側及び下側ハーフセクション３０、３２にそれぞれ分割される。中央セクション３４は、ＨＰセクション１８及びＩＰセクション２０間に延び、ＨＰ蒸気入口３６及びＩＰ蒸気入口３８を含む。
【００１３】
ロータ組立体１６は、ＨＰセクション１８及びＩＰセクション２０間に延び、ＨＰセクション１８及びＩＰセクション２０間で中心軸線４２に沿って延びたロータシャフト４０を含む。ロータシャフト４０は、ロータシャフト４０の対向する末端部分４８に各々結合されたジャーナル軸受４４、４６によってケーシング２２、２８それぞれから支持される。蒸気シールユニット５０、５２がロータシャフト末端部分４８とケーシング２２、２８との間に結合され、ＨＰセクション１８及びＩＰセクション２０のシールを可能にする。
【００１４】
環状ディバイダ５４が、ＨＰセクション１８とＩＰセクション２０の間で内向きに中央セクション３４からロータ組立体１６に向かって延びる。より具体的には、ディバイダ５４は、ＨＰ蒸気入口３６及びＩＰ蒸気入口３８間でロータ組立体１６の周りに円周方向に延びる。
【００１５】
作動時には、蒸気は、蒸気供給源、例えば、発電ボイラー（図示せず）からタービン１２に送られ、ここで蒸気の熱エネルギーは、タービン１２によって機械的な回転エネルギーに変換され、続いて発電機１４によって電気エネルギーに変換される。より具体的には、蒸気は、ＨＰ蒸気居る口３６からＨＰセクション１８を通って送られて、ＨＰセクション１８内に位置するロータ組立体１６に衝突し、また、軸４２の周りのロータ組立体１６の回転を引き起こす。蒸気は、ＨＰセクション１８から出てボイラー（図示せず）に送られ、該ボイラーは、蒸気の温度をＨＰセクション１８に流入する蒸気の温度とほぼ等しい温度まで上昇させる。次いで、蒸気は、ＨＰセクション１８に流入する蒸気の圧力よりも低い圧力でＩＰセクション入口３８及びＩＰセクション２０に送られる。蒸気は、ＩＰセクション２０内に位置するロータ組立体１６に衝突し、ロータ組立体１６の回転を引き起こす。
【００１６】
図２は、区域２から見たタービンエンジン１０の一部の拡大概略図である。一部の実施形態において、タービンエンジン１０は、ロータ組立体１６と、複数の固定ダイアフラム組立体５６と、ロータ組立体１６及びダイアフラム組立体５６の周りを円周方向に延びるケーシング５８とを含む。ロータ組立体１６は、ダイアフラム組立体５６の各隣接するペアの間で実質的に軸方向に各々整列した複数のロータディスク組立体６０を含む。各ダイアフラム組立体５６は、ケーシング５８に結合され、該ケーシング５８は、ケーシング５８からロータ組立体１６に向かって半径方向内向きに延びたノズルキャリア６２を含む。各ダイアフラム組立体５６は、ノズルキャリア６２に結合され、ダイアフラム組立体５６がロータ組立体１６に対して回転するのを阻止することができる。各ダイアフラム組立体５６は、半径方向外側部分６６から半径方向内側部分６８に延びた複数の円周方向に離間したノズル６４を含む。ノズルの外側部分６６は、ノズルキャリア６２内に定められる凹型部分７０内に位置付けられ、ダイアフラム組立体５６がノズルキャリア６２に結合できるようにする。ノズルの内側部分６８は、ロータディスク組立体６０に隣接して位置付けられる。１つの実施形態において、内側部分６８は、ダイアフラム組立体５６とロータディスク組立体６０との間に蛇行したシール経路を形成する複数のシール組立体７２を含む。
【００１７】
一部の実施形態において、各ロータディスク組立体６０は、ロータディスク７６に各々結合された複数のタービンバケット７４を含む。ロータディスク７６は、半径方向内側部分８０及び半径方向外側部分８２の間に延びるディスク本体７８を含む。半径方向内側部分８０は、ロータディスク７６を通ってほぼ軸方向に延びる中心ボア８４を定める。ディスク本体７８は、中心ボア８４から半径方向外向きに延びる。
【００１８】
各タービンバケット７４は、バケット７４がロータディスク７６の周りに円周方向に離間して配置されるようにロータディスク外側部分に結合される。各タービンバケット７４は、ロータディスク７６からケーシング５８に向けて半径方向外向きに延びる。隣接するロータディスク７６は、円周方向に離間したタービンバケット７４の軸方向に隣接する各列８８の間にギャップ８６が定められるように共に結合される。ノズル６４は、蒸気をタービンバケット７４に向けて下流側に送るために、タービンバケット７４の隣接する列８８の間で各ロータディスク７６の周りに円周方向に離間して配置される。タービンケーシング５８と各ロータディスク７６との間に蒸気流路９２が定められる。
【００１９】
一部の実施形態において、各タービンバケット７４は、蒸気流路９２内に延びるようにそれぞれのロータディスク７６の外側部分８２に結合される。より具体的には、各タービンバケット７４は、ダブテール９６から半径方向外向きに延びるベーン又は翼形部９４を含む。各ダブテール９６は、ロータディスク７６の外側部分８２内に定められるダブテール溝９８に挿入され、タービンバケット７４をロータディスク７６に結合できるようにする。
【００２０】
タービンエンジン１０の作動中、蒸気は、蒸気入口１０２を通ってタービン１２に送られて蒸気流路９２に入る。各入口ノズル１０４及びダイアフラム組立体５６は、蒸気をタービンバケット７４に送る。蒸気が各タービンバケット７４に衝突すると、タービンバケット７４及びロータディスク７６は、軸４２の周りを円周方向に回転する。
【００２１】
図３は、バケット７４の斜視図である。図４は、バケット７４の平面図である。一部の実施形態において、各バケット７４は、カバー１０６と、該カバー１０６から半径方向内向きに延びる本体１０８を含む。一部の実施形態において、本体１０８は、同じ及び／又は実質的に同様の構成を有する。本体１０８は、翼形部９４及びダブテール９６を含む。一部の実施形態において、翼形部の高さ１１０は、ダブテール１１２の高さよりも低い。或いは、他の実施形態において、翼形部９４及び／又はダブテール９６は、バケット７４が本明細書で記載されるように機能できるあらゆる高さを有することができる。翼形部９４は、前縁１１８と、対向する後縁１２０とを含む。より具体的には、翼形部後縁１２０は、翼形部前縁１１８から下流側に翼弦方向に離間して配置される。
【００２２】
一部の実施形態において、バケット７４は、複数のバケット１２６、閉鎖バケット１２８、及び移行バケット１３０の少なくとも１つのペアを含む。一部の実施形態において、各バケット１２６の各カバー１０６は、各々が第１の構成を有する横方向縁部１３４のペアを含むバケットカバー１３２である。例えば、一部の実施形態において、横方向縁部１３４は、互いに実質的に平行である。例示的な実施形態において、各横方向縁部１３４は、第１のセグメント１３６及び第２のセグメント１３８を含み、該第２のセグメントは、第１の構成が角度付き構成であるように角度１４０にて第１のセグメント１３６から斜めに延びている。例示的な実施形態において、角度１４０は、約９５°〜約１７５°の間である。より具体的には、例示的な実施形態において、角度１４０は、約１２０°〜約１５０°の間である。代替として、他の実施形態において、横方向縁部１３４は、バケットカバー１３２が本明細書で記載されるように機能できるあらゆる構成を有することができる。
【００２３】
一部の実施形態において、閉鎖バケット１２８の各カバー１６０は、各々が第２の構成を有する横方向縁部１４４のペアを含む閉鎖カバー１４２である。例えば、一部の実施形態において、横方向縁部１４４は、互いに実質的に平行である。例示的な実施形態において、各横方向縁部１４４は、角度１４０よりも大きく且つ約１８０°以下の角度１４６を定め、又は有する。より具体的には、例示的な実施形態において、角度１４６は、横方向縁部１４４が実質的に直線状構成であるように約１８０°である。
【００２４】
その上、一部の実施形態において、横方向縁部１４４と前縁１５０又は後縁１５２の何れかとの間に定められる各角度１４８は、閉鎖カバー１４２が実質的に矩形構成であるように約６０°〜約１２０°の間である。より具体的には、少なくとも一部の実施形態において、角度１４８は、約７５°〜１０５°の間である。或いは、他の実施形態において、横方向縁部１４４、前縁１５０、及び／又は後縁１５２はそれぞれ、閉鎖カバー１４２が本明細書で記載されるように機能できるあらゆる構成を有することができる。
【００２５】
一部の実施形態において、各移行バケット１３０の各カバー１０６は、第１の構成で形成される第１の横方向縁部１５６と、第２の構成で形成される第２の横方向縁部１５８とを含む移行カバー１５４である。従って、少なくとも一部の実施形態において、各移行バケット１３０は、それぞれのバケット１２６と閉鎖バケット１２８との間で１方向のみに位置決め可能である。一部の実施形態において、第１の移行バケット１６０は、後縁１６４よりも短い前縁１６２を有し、第２の移行バケット１６６は、後縁１７０よりも長い前縁１６８を有する。一部の実施形態において、移行バケット１６０及び１６６は、それぞれの第２の横方向縁部１５８に沿って互いに結合可能である。
【００２６】
組立中、各バケット１２６の各ダブテール９６は、ダブテール溝９８に挿入され、バケット１２６をロータディスク７６に結合する。各移行バケット１３０の各ダブテール９６は、ダブテール溝に挿入されて、移行バケット１３０をロータディスク７６に結合する。より具体的には、一部の実施形態において、第１の移行バケット１６０は、第１の円周方向で滑動されて第１の移行バケット１６０を第１のバケット１２６に結合し、第２の移行バケット１６６は、反対の第２の円周方向で滑動されて、移行バケット１６０、１６６間にギャップ（図示せず）が定められるように第２の移行バケット１６６を第２のバケット１２６に結合する。閉鎖バケット１２８は、移行バケット１６０、１６６間に位置付けられてバケット組立体を構築する。閉鎖バケット１２８を使用することにより、全て同じカバー角度を有するバケット列と比べたときに組み立てプロセスをより容易にすることができる。或いは、少なくとも一部の実施形態において、第１の移行バケット１６０は、閉鎖バケット１２８を使用することなく、第２の移行バケット１６６に直接結合することもできる。
【００２７】
本開示は、全体的に、タービンエンジンに関し、より詳細には、タービンエンジンで使用するバケット組立体に関する。本明細書で記載される実施形態は、複数の一体形に覆われた（ＩＣ）バケットを含むＩＣバケット組立体の適用スペースを、ＩＣバケット組立体の組立中にＩＣバケットの少なくとも１つの一部を除去することなく増大させることができる。従って、本明細書で記載される実施形態は、ＩＣバケット組立体の組み立て時間を短縮し、及び／又はＩＣバケット組立体の性能を向上させることができる。
【００２８】
バケット組立体の例示的な実施形態は、上記で詳細に説明した。本方法及びシステムは、本明細書で記載される特定の実施形態に限定されるものではなく、むしろ本方法及びシステムの構成要素は、本明細書で記載した他の構成要素とは独立して別個に利用することができる。各方法のステップ及び各構成要素はまた、他の方法ステップ及び構成要素と組み合わせて用いることができる。本発明の種々の実施形態の特定の特徴は一部の図面で示され、他の図面では示されない場合があるが、これは便宜上のことに過ぎない。図面のあらゆる特徴要素は、他の何れかの図面の何れかの特徴要素と組み合わせて参照及び／又は特許請することができる。
【００２９】
本明細書は、最良の形態を含む実施例を用いて本発明を開示し、更に、あらゆる当業者があらゆるデバイス又はシステムを実施及び利用すること及びあらゆる包含の方法を実施することを含む本発明を実施することができる。本発明の特許保護される範囲は、請求項によって定義され、当業者であれば想起される他の実施例を含むことができる。このような他の実施例は、請求項の文言と差違のない構造要素を有する場合、或いは、請求項の文言と僅かな差違を有する均等な構造要素を含む場合には、本発明の範囲内にあるものとする。
【符号の説明】
【００３０】
１０  タービンエンジン
１２  タービン
１４  発電機
１６  ロータ組立体
１８  ＨＰセクション
２０  ＩＰセクション
２２  ＨＰケーシング
２４  上側ハーフセクション
２６  下側ハーフセクション
２８  ＩＰケーシング
３０  上側ハーフセクション
３２  下側ハーフセクション
３４  中央セクション
３６  ＨＰ蒸気入口
３８  ＩＰ蒸気入口
４０  ロータシャフト
４２  中心軸線
４４  ジャーナル軸受
４６  ジャーナル軸受
４８  ロータシャフト末端部分
５０  蒸気シールユニット
５２  蒸気シールユニット
５４  ディバイダ
５６  ダイアフラム組立体
５８  タービンケーシング
６０  ロータディスク組立体
６２  ノズルキャリア
６４  ノズル
６６  ノズル外側部分
６８  ノズル内側部分
７０  凹型部分
７２  シール組立体
７４  タービンバケット
７６  ロータディスク
７８  ディスク本体
８０  半径方向内側部分
８２  半径方向外側部分
８４  中央ボア
８６  ギャップ
８８  列
９２  蒸気流路
９４  翼形部
９６  ダブテール
９８  ダブテール溝
１０２  蒸気入口
１０４  入口ノズル
１０６  カバー
１０８  本体
１１０  翼形部高さ
１１２  ダブテール高さ
１１８  翼形部前縁
１２０  翼形部後縁
１２６  バケット
１２８  閉鎖バケット
１３０  移行バケット
１３２  バケットカバー
１３４  横方向縁部
１３６  第１のセグメント
１３８  第２のセグメント
１４０  角度
１４２  閉鎖カバー
１４４  横方向縁部
１４６  角度
１５０  前縁
１５２  後縁
１５４  移行カバー
１５６  第１の横方向縁部
１５８  第２の横方向縁部
１６０  第１の移行バケット
１６２  前縁
１６４  後縁
１６６  第２の移行バケット
１６８  前縁
１７０  後縁
【図１】
2014092161.tif 000003
【図２】
2014092161.tif 000004
【図３】
2014092161.tif 000005
【図４】
2014092161.tif 000006